(57)【要約】【課題】他人に録画動作中であることを知られることなく、録画を行うことができる録画装置の提供を目的とする。【解決手段】記録部と、筺体内に備えられたファンと、前記筺体内の温度を温度情報として取得する温度情報取得部と、前記筺体内の温度が第１の温度を超えると、前記録画装置の駆動を停止させる保護部と、コンテンツを録画するための第１の録画動作と第２の録画動作とを切替える録画動作制御部と、を有し、前記録画動作制御部は、前記第１の録画動作中は、前記温度情報が前記第１の温度と比べて低い温度であって、前記第１の温度に近い第２の温度以上となるまで前記ファンの駆動を停止させる。【選択図】図３
2015162252.tif 000002
【特許請求の範囲】
【請求項１】
録画装置であって、
記録部と、
筺体内に備えられたファンと、
前記筺体内の温度を温度情報として取得する温度情報取得部と、
前記筺体内の温度が第１の温度を超えると、前記録画装置の駆動を停止させる保護部と、
コンテンツを録画するための第１の録画動作と第２の録画動作とを切替える録画動作制御部と、を有し、
前記録画動作制御部は、前記第１の録画動作中は、前記温度情報が前記第１の温度と比べて低い温度であって、前記第１の温度に近い第２の温度以上となるまで前記ファンの駆動を停止させる、ことを特徴とする録画装置。
【請求項２】
記録装置と接続する接続部を有し、
前記録画動作制御部は、前記第１の録画動作中に、前記温度情報が前記第１の温度と比べて低い温度であって、前記第１の温度に近い第３の温度以上となった場合に、録画用データの記録先を前記接続部を通じて接続された前記記録装置とする、ことを特徴とする請求項１に記載の録画装置。
【請求項３】
前記第１の録画動作中に、録画用データの情報量を少なくする第１の信号処理部を有する、ことを特徴とする請求項１または請求項２のいずれかに記載の録画装置。
【請求項４】
前記録画用データに対して画質処理を行なう第２の信号処理部を有し、
前記録画動作制御部は、前記第１の録画動作中は、前記第２の信号処理部の駆動を停止させる、ことを特徴とする請求項１または請求項２のいずれかに記載の録画装置。
【請求項５】
表示パネルを有し、
前記録画動作制御部は、前記第１の録画動作中は、前記表示パネルに録画中である表示をさせず、前記第２の録画動作中は、前記表示パネルに録画中である表示をさせる、ことを特徴とする請求項１から請求項４のいずれか一項に記載の録画装置。
【発明の詳細な説明】
【技術分野】
【０００１】
本発明は、データを録画する録画装置に関する。
【背景技術】
【０００２】
従来、録画装置は、装置の動作状態等を表示する表示部を筺体の前面に設けている。そして、表示部に録画動作中であることを表示することで、外部から録画動作中であることがわかるようになっている。
【０００３】
一方、録画装置が録画動作中であることを知られないように、録画動作中は、表示部による表示を非表示とする発明が開示されている（例えば、特許文献１、２参照。）。
【先行技術文献】
【特許文献】
【０００４】
【特許文献１】特開２００６−０４１８８９号公報
【特許文献２】特開２００５−３４７７８３号公報
【発明の概要】
【発明が解決しようとする課題】
【０００５】
しかし、特許文献に記載するものは、録画動作中に生じる音までは考慮していなかった。
【０００６】
本発明は、上記課題にかんがみてなされたもので、他人に録画動作中であることを知られることなく、録画を行うことができる録画装置の提供を目的とする。
【課題を解決するための手段】
【０００７】
・適用例１
上記課題を解決するために、本発明の一態様では、録画装置であって、記録部と、筺体内に備えられたファンと、前記筺体内の温度を温度情報として取得する温度情報取得部と、前記筺体内の温度が第１の温度を超えると、前記録画装置の駆動を停止させる保護部と、コンテンツを録画するための第１の録画動作と第２の録画動作とを切替える録画動作制御部と、を有し、前記録画動作制御部は、前記第１の録画動作中は、前記温度情報が前記第１の温度と比べて低い温度であって、前記第１の温度に近い第２の温度以上となるまで前記ファンの駆動を停止させる。
【０００８】
上記のように構成された発明では、録画動作制御部は、第１の録画動作中は、温度情報取得部により取得された温度情報が第１の温度と比べて低い温度であって、保護部が動作する第１の温度に近い第２の温度以上となるまでファンの駆動を停止させる。
そのため、第１の録画動作中は、ファンの駆動を停止することができるため、他人に録画中であることを知られないようにすることができる。
【０００９】
・適用例２
本発明の一態様では、記録装置と接続する接続部を有し、前記録画動作制御部は、前記第１の録画動作中に、前記温度情報が前記第１の温度と比べて低い温度であって、前記第１の温度に近い第３の温度以上となった場合に、録画用データの記録先を前記接続部を通じて接続された前記記録装置とする。
上記のように構成された発明では、記録先を記録装置に変更することで、記録部の負荷を下げることができるため、記録部の発熱に伴う筺体内の温度上昇率を下げることができる。その結果、ファンを停止している時間を長くすることができる。
【００１０】
・適用例３
本発明の一態様では、前記第１の録画動作中に、録画用データの情報量を少なくする第１の信号処理部を有する。
上記のように構成された発明では、録画用データの情報量を少なくすることで、ビットレートを下げることができ、記録部が録画用データを記録する際に生じる発熱量を下げることができる。その結果、第１の録画動作中は、筺体内の温度上昇率を録画用データの情報量を少なくしない場合と比べて低くすることができ、ファンを停止している時間を長くすることができる。
【００１１】
・適用例４
本発明の一態様では、前記録画用データに対して画質処理を行なう第２の信号処理部を有し、前記録画動作制御部は、前記第１の録画動作中は、前記第２の信号処理部の駆動を停止させる。
上記のように構成された発明では、第１の録画動作中は、第２の信号処理部が駆動せず、筺体内の温度上昇率を第２の信号処理部を駆動させた場合と比べて低くすることができ、ファンを停止している時間を長くすることができる。
【００１２】
・適用例５
本発明の一態様では、表示パネルを有し、前記録画動作制御部は、前記第１の録画動作中は、前記表示パネルに録画中である表示をさせず、前記第２の録画動作中は、前記表示パネルに録画中である表示をさせる。
上記のように構成された発明では、第１の録画動作中は、録画動作中の音と表示とを停止するため、他人に録画中であることを知られないようにすることができる。
【図面の簡単な説明】
【００１３】
【図１】録画装置を示す外観図。
【図２】レコーダー１０のハードウェア構成を示す図。
【図３】ＳＯＣ１２の機能を説明する機能ブロック図。
【図４】ＳＯＣ１２により実行される処理を示すフローチャート。
【図５】図４のステップＳ３において、ＳＯＣ１２により実行される第１の録画動作中の処理を示すフローチャート。
【図６】第２の実施形態にかかる録画システムの構成を示す図。
【図７】第２の実施形態において、ＳＯＣ１２により実行される第１の録画動作中の処理を示すフローチャート。
【図８】第３の実施形態において、ＳＯＣ１２が実行する処理を示すフローチャート。
【発明を実施するための形態】
【００１４】
以下、下記の順序に従って本発明の実施形態を説明する。
１．第１の実施形態：
（１）録画装置の構成
（２）録画方法
２．第２の実施形態：
３．第３の実施形態：
４．第４の実施形態：
５．その他の実施形態：
【００１５】
１．第１の実施形態：
（１）録画装置の構成
図１は、録画装置を示す外観図である。
この第１の実施形態では、録画装置として、レコーダー１０を例に説明を行う。
レコーダー１０は、筺体１０ａの前面に動作モードを表示する表示パネル１９を露出させて配置している。また、レコーダー１０は筺体１０ａの内部に、記録部としてのハードディスクドライブを内蔵している。そのため、ユーザがリモコン装置４０を操作して、後述するチューナーにより取得されたテレビジョン放送等のコンテンツファイルを、ハードディスクドライブに記録（録画）させることができる。以下、ハードディスクドライブを単に、ＨＤＤ（Hard Disk Drive）とも記載する。
【００１６】
図２は、レコーダー１０のハードウェア構成を示す図である。
レコーダー１０は、チューナー１１、ＳＯＣ（System On Chip）１２、ＲＯＭ(Read Only Memory)１３、ＲＡＭ(Random Access Memory)１４、ＨＤＤ１５、ファン１６、Ｉ／ＯＩＦ１７、信号処理ＩＣ１８、表示パネル１９と、を備える。上記した各部はバス２０を介して接続されている。
【００１７】
バス２０には、筺体１０ａ内部の温度上昇を抑制するためのファン１６が接続されている。また、ファン１６の駆動はＳＯＣ１２により『駆動』、『停止』のいずれかに設定される。ファン１６が『駆動』に設定されていれば、ファン１６に電力が供給され、ファン１６が回転する。また、ファン１６が『停止』に設定されていれば、ファン１６に電力が供給されず、ファン１６は回転しない。ファン１６は、ＤＣファンや、ＡＣファンを用いることができる。
【００１８】
チューナー１１は、図示しないアンテナが受信したテレビジョン放送から所定のチャンネルに対応するコンテンツファイルを抽出する。また、チューナー１１の出力側には、ＳＯＣ１２が接続されている。ＳＯＣ１２は、コンテンツファイルを復調し、このコンテンツファイル（録画用データ）をＨＤＤ１５に録画する。また、ＳＯＣ１２は、ＣＰＵ１２ａが内蔵されており、レコーダー１０の駆動を統合的に制御する。
【００１９】
ＨＤＤ１５は、コンテンツファイルを記録する磁気ディスク１５２と、磁気ディスク１５２の駆動を制御するメモリコントローラ１５１とを備える。メモリコントローラ１５１は、図示しないＣＰＵ、ＲＯＭ、ＲＡＭを備えている。メモリコントローラ１５１は、ＳＯＣ１２からの録画要求をバス２０を通じて受信すると、ＳＯＣ１２から入力したコンテンツファイルを磁気ディスク１５２に記録させる。また、メモリコントローラ１５１は、ＳＯＣ１２からの読み出し要求を外部バス２０を通じて受信すると、磁気ディスク１５２に記録されたコンテンツファイルを読み出し、読み出したコンテンツファイルをバス２０を通じてＳＯＣ１２に出力する。
【００２０】
また、メモリコントローラ１５１は、ＳＯＣ１２から温度情報ＤＩを問合せる要求を受信すると、現在の磁気ディスク１５２の温度を温度情報ＤＩとして返信する機能（スマート機能）を備える。そのため、本発明の後述する温度情報取得部は、ＳＯＣ１２と、メモリコントローラ１５１との機能により実現される。なお、ＨＤＤ１５には、図示しない温度センサーを備えている。
無論、温度情報取得部をＳＯＣ１２とメモリコントローラ１５１との機能により実現することは一例であり、筺体１０ａの温度を直接計測する温度センサーをＳＯＣ１２に接続して実現されるものであってもよい。
【００２１】
信号処理ＩＣ１８は、ＳＯＣ１２を通じて取得されたコンテンツファイルに対して画質調整を行う。信号処理ＩＣ１８が行う画質調整の一例として例えば画素数変換処理、ホワイトバランス調整、コントラスト調整等である。また、ユーザにより画質設定が行なわれている場合は、画質設定に応じてコンテンツファイルに対して画質調整を行うものであってもよい。
【００２２】
ＲＯＭ１３には、ＳＯＣ１２が各ハードウェアを制御するためのＯＳや、制御プログラムが記録されている。ＳＯＣ１２は、ＲＯＭ１３に記録された各プログラムをＲＡＭ１４に展開して実行する。
【００２３】
図３は、ＳＯＣ１２の機能を説明する機能ブロック図である。
図３に示すＳＯＣ１２の各機能は、ＳＯＣ１２がＲＯＭ１３に記録された各プログラムを実行することで実現される。
【００２４】
温度情報取得部１２１は、筺体１０ａ内の温度を温度情報として取得する。この第１の実施形態では、温度情報取得部１２１は、上記したＨＤＤ１５が備える機能（スマート機能）により、ＨＤＤ１５の温度を温度情報ＤＩとして取得する。
【００２５】
保護部１２２は、レコーダー１０の内部温度が第１の温度Ｄ１以上となると、レコーダー１０を破損等から保護するための保護動作を行う。保護部１２２が行う保護動作の一例として、各ハードウェアへの電源の供給を停止して、駆動を停止する。
【００２６】
録画動作制御部１２３は、ユーザが設定した録画設定に応じて、コンテンツファイルをＨＤＤ１５に記録する際の録画動作を第１の録画動作と第２の録画動作との間で切替える。第１の録画動作では、ファン１６の駆動を温度情報ＤＩに応じて制御し、表示パネル１９の表示を非表示とする。すなわち、第１の録画動作中は、レコーダー１０が録画動作中であることが他人にわからないよう、ファン１６の動作を温度情報ＤＩに応じて停止し、表示パネル１９に録画動作中であることを表示しない。一方、第２の録画動作では、ファン１６を駆動させ、表示パネル１９に録画動作中であることを表示する。無論、第２の録画動作中でのファン１６の駆動は連続的に行われる必要はなく、間欠的に行われるものであってもよい。
【００２７】
（２）録画方法
次に、レコーダー１０により行われる録画動作について説明する。
図４は、ＳＯＣ１２により実行される処理を示すフローチャートである。図４に示すフローチャートは、ユーザがリモコン装置４０を操作して、テレビジョン放送の録画設定を行なった場合に開始される処理である。
【００２８】
ステップＳ１では、ＳＯＣ１２は、録画開始時刻まで待機している。例えば、ＳＯＣ１２は、図示しない内部タイマーをもとに録画開始時刻を計時する。
【００２９】
録画開始時刻になると（ステップＳ１：ＹＥＳ）、ステップＳ２では、ＳＯＣ１２は、録画設定が第１の録画動作か第２の録画動作かを判断する。録画設定が第１の録画動作であれば（ステップＳ２：ＹＥＳ）、ステップＳ３に進み、ＳＯＣ１２は、第１の録画動作でチューナー１１が取得したコンテンツファイルの録画を行う。
一方、録画設定が第１の録画動作でなければ（ステップＳ２：ＮＯ）、ステップＳ４に進み、ＳＯＣ１２は、第２の録画動作でチューナー１１が取得したコンテンツファイルの録画を行う。
【００３０】
図５は、図４のステップＳ３において、ＳＯＣ１２により実行される第１の録画動作中の処理を示すフローチャートである。なお、図示しないが、この動作とは別に、ＳＯＣ１２はコンテンツファイルの録画に要する処理を実施しているものとする。
【００３１】
ステップＳ３１では、ＳＯＣ１２は、表示パネル１９の表示を非表示に設定する。そのため、表示パネル１９には、録画中であることを示すランプ等が点灯しない。
【００３２】
ＨＤＤ１５から取得される温度情報ＤＩが第２の温度未満であれば（ステップＳ３２：ＮＯ）、ＳＯＣ１２は、ステップＳ３３に進む。第２の温度Ｄ２は、保護部１２２が動作する第１の温度Ｄ１と比べて低い温度であり、第１の温度Ｄ１に近い温度として設定されている。例えば、第１の温度Ｄ１が６５度であれば、第２の温度Ｄ２は５０度〜６０度の間で設定されている。
【００３３】
ステップＳ３３では、ＳＯＣ１２は、ファン１６の動作（ファン動作とも記載する。）を『停止』に設定する。すなわち、筺体１０ａ内の温度が保護部１２２を動作させるだけの温度ではないため、ファン１６の動作を停止し、外部から録画中であることがわからないようにする。
【００３４】
一方、温度情報ＤＩが第２の温度Ｄ２以上であれば（ステップＳ３２：ＹＥＳ）、ステップＳ３４では、ＳＯＣ１２は、ファン１６の動作を駆動に設定する。すなわち、保護部１２２の動作を回避することを目的として、ファン１６を動作させる。
【００３５】
録画終了時刻でなければ（ステップＳ３５：ＮＯ）、ＳＯＣ１２は、ステップＳ３２に戻り、ループを繰返す。
一方、録画終了時刻であれば（ステップＳ３５：ＹＥＳ）、ＳＯＣ１２は、ステップＳ５に戻る。
【００３６】
図４に戻り、ステップＳ５では、ＳＯＣ１２は、レコーダー１０の電源をオフし、録画処理を終了する。
以後、ユーザは、ＨＤＤ１５に録画されたコンテンツを再生することで、コンテンツを視聴することができる。ここで、ユーザがＨＤＤ１５に録画されたコンテンツを再生する場合、予め設定しておいたコマンドを入力しなければコンテンツの再生が開示されない構成としてもよい。上記のように構成することで、他人が録画されたコンテンツを再生してしまうのを防ぐことができる。
【００３７】
以上説明したようにこの第１の実施形態では、ＳＯＣ１２は、第１の録画動作中は、温度情報ＤＩが第１の温度Ｄ１と比べて低い温度であって、第１の温度Ｄ１に近い第２の温度Ｄ２以上となるまでファン１６の駆動を停止させる。そのため、第１の録画動作中は、ファン１６の駆動を停止することができるため、他人に録画中であることを知られないようにすることができる。
【００３８】
２．第２の実施形態：
この第２の実施形態では、温度情報ＤＩの値において、コンテンツファイルを録画する場所を切替える構成が第１の実施形態と異なる。
【００３９】
図６は、第２の実施形態にかかる録画システムの構成を示す図である。図６では、レコーダー１０は、接続部として機能するＩ／ＯＩＦ１７（図２）を通じて記録装置（録画サーバー３０、外付けＨＤＤ３５）と接続しており、録画システム１００を構成している。レコーダー１０、録画サーバー３０、外付けＨＤＤ３５、はネットワークＮＥを通じて接続されている。ネットワークＮＥは、有線、無線等の回線である。
【００４０】
図７は、第２の実施形態において、ＳＯＣ１２により実行される第１の録画動作中の処理を示すフローチャートである。図７に示すフローチャートは、図４のステップＳ３において実行される処理であるため、第１の実施形態における図７の処理を流用して説明を行う。
【００４１】
ステップＳ１３１では、ＳＯＣ１２は、表示パネル１９の表示を非表示に設定する。以後、表示パネル１９は録画中であることを示す表示を行わない。
【００４２】
ステップＳ１３２では、ＳＯＣ１２は、温度情報ＤＩに応じて、処理を切替える。すなわち、ＨＤＤ１５から取得される温度情報ＤＩが第２の温度Ｄ２以上であれば、ＳＯＣ１２は、ステップＳ１３３に進む。ステップＳ１３３において、ＳＯＣ１２は、ファン１６の動作を『駆動』に設定する。
【００４３】
また、ＨＤＤ１５から取得される温度情報ＤＩが第２の温度Ｄ２未満、かつ、第３の温度Ｄ３以上であれば、ＳＯＣ１２は、ステップＳ１３５に進む。第３の温度Ｄ３は第２の温度以下の温度である。例えば、第２の温度Ｄ２と５度の範囲で低い温度とすることができる。ステップＳ１３５において、ＳＯＣ１２は、コンテンツファイルの記録先を記録装置に変更する。例えば、ＳＯＣ１２は、コンテンツファイルを、Ｉ／ＯＩＦ１７を介して録画サーバー３０に出力する。なお、コンテンツファイルの記録先は、第１の録画動作の設定中にユーザが設定するものとする。
【００４４】
ＨＤＤ１５から取得される温度情報ＤＩが第３の温度Ｄ３未満であれば、ＳＯＣ１２は、ステップＳ１３４に進む。ステップＳ１３４において、ＳＯＣ１２は、ファン１６の動作を『停止』に設定する。すなわち、温度情報ＤＩが第１の温度Ｄ１となるまで十分にマージンがあるため、ファン１６の駆動を停止する。
【００４５】
録画終了時刻でなければ（ステップＳ１３６：ＮＯ）、ＳＯＣ１２は、ステップＳ１３２に戻り、ループを繰返す。一方、録画終了時刻であれば（ステップＳ１３６：ＹＥＳ）、ＳＯＣ１２は、図４のステップＳ５の処理に戻る。
【００４６】
以上説明したようにこの第２の実施形態では、コンテンツファイルの記録先を外部の記録装置に変更することで、ＨＤＤ１５の負荷を下げることができ、ＨＤＤ１５の発熱に伴う筺体１０ａ内の温度上昇率を下げることができる。その結果、ファン１６を停止している時間を長くすることができる。
【００４７】
３．第３の実施形態：
筺体１０ａ内の温度上昇率が高くならないように、信号処理部として機能する信号処理ＩＣ１８の駆動を制御するものであってもよい。
【００４８】
図８は、第３の実施形態において、ＳＯＣ１２が実行する処理を示すフローチャートである。図８に示す処理は、図４のステップＳ３において実行される処理である。
【００４９】
ステップＳ２３１では、ＳＯＣ１２は、表示パネル１９の表示を非表示に設定する。
【００５０】
ステップＳ２３２では、ＳＯＣ１２は、信号処理ＩＣ１８に、コンテンツファイルのデータ量を削減させる。ここで、ステップＳ２３２により実行されるコンテンツファイルのデータ量の削減は、ＨＤＤ１５にコンテンツファイルを記録する際の圧縮処理とは別の処理として行なわれる。例えば、信号処理ＩＣ１８は、コンテンツファイルのフレーム数の削減や、フレームを構成する画素数を削減するなどして、コンテンツファイルのデータ量を削減する。そのため、この第３の実施形態では、信号処理ＩＣ１８が第１の信号処理部として機能する。
【００５１】
ＨＤＤ１５から取得される温度情報ＤＩが第２の温度Ｄ２未満であれば（ステップＳ２３３：ＮＯ）、ＳＯＣ１２は、ステップＳ２３４に進む。ステップＳ２３４では、ＳＯＣ１２は、ファン１６の動作を停止に設定する。
一方、温度情報ＤＩが第２の温度Ｄ２以上であれば（ステップＳ２３３：ＹＥＳ）、ＳＯＣ１２は、ステップＳ２３５に進む。ステップＳ２３４では、ＳＯＣ１２は、ファン１６の動作を駆動に設定する。
【００５２】
録画終了時刻でなければ（ステップＳ２３６：ＮＯ）、ＳＯＣ１２は、ステップＳ２３３に戻り、ループを繰返す。
一方、録画終了時刻であれば（ステップＳ２３６：ＹＥＳ）、ＳＯＣ１２は、図４のステップＳ５に戻る。
【００５３】
以上説明したようにこの第３の実施形態では、コンテンツファイルの情報量を少なくすることで、ビットレートを下げることができ、ＨＤＤ１５がコンテンツファイルを記録する際に生じる発熱量を下げることができる。その結果、第１の録画動作中は、筺体１０ａ内の温度上昇率をコンテンツファイルの情報量を少なくしない場合と比べて低くすることができ、ファン１６を停止している時間を長くすることができる。
【００５４】
４．第４の実施形態：
筺体１０ａ内の温度上昇率が高くならないように、第１の録画動作中は、第２の信号処理部として機能する信号処理ＩＣ１８の駆動を停止するものであってもよい。例えば、ＳＯＣ１２は、第１の録画動作中は、信号処理ＩＣ１８にコンテンツファイルに対する信号処理を行わせない。
上記構成とすることで、第１の録画動作中は、信号処理ＩＣ１８が駆動せず、筺体１０ａ内の温度上昇率を、信号処理ＩＣ１８を駆動させた場合と比べて低くすることができ、ファン１６を停止している時間を長くすることができる。
また、コンテンツの録画先を外部サーバーとすることで、録画されたコンテンツの場所を他人に知られないようにすることができ、コンテンツの内容を知られてしまうのを抑制することができる。
【００５５】
５．その他の実施形態：
録画装置として、レコーダー１０を用いて説明を行ったのは一例に過ぎない。例えば、テレビジョン受像機にＨＤＤ１５を備える一体型の表示装置であってもよい。
また、記録部として、ＨＤＤ１５を用いたことは一例に過ぎない。例えば、ＨＤＤ１５の代わりにフラッシュメモリを用いるものであってもよい。フラッシュメモリを録画用のメモリとして用いれば、ＨＤＤ１５に比べて録画中の音が小さくなるため、他人が録画動作中であることをより解り難くすることができる。
【００５６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５７】
１０…レコーダー、１０ａ…筺体、１１…チューナー、１２…ＳＯＣ、１３…ＲＯＭ、１４…ＲＡＭ、１５…ＨＤＤ、１６…ファン、１７…Ｉ／ＯＩＦ、１８…信号処理ＩＣ、１９…表示パネル、２０…バス、３０…録画サーバー、３５…外付けＨＤＤ、４０…リモコン装置、１２１…温度情報取得部、１２２…保護部、１２３…録画動作制御部
【図１】
2015162252.tif 000003
【図２】
2015162252.tif 000004
【図３】
2015162252.tif 000005
【図４】
2015162252.tif 000006
【図５】
2015162252.tif 000007
【図６】
2015162252.tif 000008
【図７】
2015162252.tif 000009
【図８】
2015162252.tif 000010